(57)【特許請求の範囲】
【請求項１】
ディスクに光ビームを収束させる対物レンズと、上面略中央部に前記対物レンズを取り付けた略直方体形状の合成樹脂製のレンズホルダと、一端側が前記レンズホルダの側部に固定された複数本のワイヤと、これらワイヤの他端側を支持する保持部材とを備え、前記レンズホルダの上面の４隅に、前記ディスクと前記対物レンズの衝突を防止する合成樹脂製のストッパ部を設けたことを特徴とする光学式ピックアップ。
【請求項２】
請求項１の記載において、前記ストッパ部が前記ディスクの材質よりも硬度の低い潤滑性樹脂からなることを特徴とする光学式ピックアップ。
【請求項３】
請求項２の記載において、前記レンズホルダと前記ストッパ部とを２色成形により一体化し、前記ストッパ部は、前記レンズホルダの上面に開口する凹部と、この凹部の内面から側方に延びる抜け止め用凹部に前記潤滑性樹脂が充填されて形成されていることを特徴とする光学式ピックアップレンズ。
【請求項４】
請求項２の記載において、前記ストッパ部の下部周面を非潤滑性樹脂からなる連結部で覆い、この連結部を前記レンズホルダに設けた凹部に圧入したことを特徴とする光学式ピックアップ。
【発明の詳細な説明】
【０００１】
【発明の属する技術分野】
本発明は、ＣＤ（コンパクトディスク）やＤＶＤ（デジタルバーサタイルディスク）等のディスクに対して情報を記録／再生する光学式ピックアップに係り、特に、レンズホルダに取り付けられた対物レンズがディスクに衝突するのを防止するための保護機構に関する。
【０００２】
【従来の技術】
一般的にこの種の光学式ピックアップは、対物レンズを保持するレンズホルダと、レンズホルダを複数本のワイヤを介して弾性的に支持する保持部材と、レンズホルダをフォーカス方向またはトラッキング方向へ駆動する磁気駆動機構と、受発光素子や各種光学部品を搭載するシャーシとを備えており、レンズホルダと保持部材および磁気駆動機構によって構成されるアクチュエータ部はシャーシ上に載置されている。磁気駆動機構は、レンズホルダ側に取り付けられたフォーカスコイルおよびトラッキングコイルと、保持部材側に取り付けられた磁気回路部とによって構成されており、フォーカスコイルおよびトラッキングコイルは磁気回路部で発生する磁束を横切るように配置されている。また、各ワイヤの自由端側はフォーカスコイルとトラッキングコイルに半田付けされており、各ワイヤはフォーカスコイルとトラッキングコイルに流す電流を導く作用を兼ねている。
【０００３】
このように概略構成された光学式ピックアップにおいては、対物レンズで収束された光ビームをディスクのデータトラックに照射することにより情報の記録／再生が行われ、その際、光ビームのスポット径をデータトラックに対して制御するフォーカスサーボとトラッキングサーボがかけられる。すなわち、フォーカスコイルに流れる電流によって対物レンズの光軸方向の電磁力が発生するため、フォーカスサーボ時は、フォーカスコイルに通電してレンズホルダを対物レンズの光軸方向に駆動し、スポット径をデータトラックにジャストフォーカスさせるようになっている。また、トラッキングコイルに流れる電流によって対物レンズの光軸と直交する方向の電磁力が発生するため、トラッキングサーボ時は、トラッキングコイルに通電してレンズホルダを対物レンズの光軸と直交する方向に駆動し、スポット径をデータトラックに追従させるようになっている。
【０００４】
【発明が解決しようとする課題】
ところで近年、この種の光学式ピックアップは薄型化の傾向にあり、例えばＤＶＤプレーヤに用いられる薄型タイプの光学式ピックアップとして、対物レンズのＷ．Ｄ（Working Distance）を1.0mm前後まで小さくしたものを採用する要望がある。この場合、ターンテーブルの傾き等に起因するディスクの面ブレに対して光ビームのスポット径を十分に追従させるには、対物レンズを含むレンズホルダの絶対可動量をある程度広く取らざるを得ないが、対物レンズのＷ．Ｄが1.0mm前後まで小さく設定されているため、例えばオフサーボ時に外部振動が加わると、対物レンズがディスクに衝突する事故が発生しやすくなる。
【０００５】
従来より、このような対物レンズとディスクの衝突を防止する保護機構として、レンズホルダの上面に対物レンズを包囲するように環状または直線状の緩衝材を取り付け、この緩衝材を対物レンズよりも一段高く設定するように構成した光学式ピックアップが特許第２５９３９９８号公報において提案されている。
【０００６】
しかしながら、同公報に開示された保護機構では、レンズホルダの上面で緩衝材が対物レンズの近傍に位置している関係上、緩衝材のレンズホルダ上面からの突出量を対物レンズの高さに対して十分に大きく設定しないと、緩衝材によって対物レンズとディスクとの接触を確実に避けることができず、その結果、緩衝材を含むピックアップ全体としてのＷ．Ｄが大幅に小さくなることになる。したがって、ディスクが対物レンズに直接衝突することは回避できるものの、僅かなスキューずれや外部振動などでディスクが緩衝材に容易に接触してしまい、この場合、一般的な合成樹脂等からなる緩衝材がディスクの記録面を損付けるという重大欠陥に至る問題があった。
【０００７】
本発明は、このような従来技術の実情に鑑みてなされたもので、その目的は、薄型でありながら対物レンズとディスクの衝突を確実に防止することができ、ディスクへの傷付きを抑制できる光学式ピックアップを提供することにある。
【０００８】
【課題を解決するための手段】
本発明は、略中央部に対物レンズを取り付けた略直方体形状のレンズホルダの上面の４隅に、ディスクと対物レンズの衝突を防止するストッパ部を設けることとする。このように配置されたストッパ部は対物レンズに対して僅かに突出しているだけで、ディスクと対物レンズの衝突を確実に防止することができるため、Ｗ．Ｄの小さい対物レンズを採用した場合でもストッパ部を含むピックアップ全体としてのＷ．Ｄは極端に小さくならず、ディスクとストッパ部が接触する頻度を少なくすることができる。
【０００９】
【発明の実施の形態】
本発明の光学式ピックアップでは、ディスクに光ビームを収束させる対物レンズと、上面略中央部に前記対物レンズを取り付けた合成樹脂製のレンズホルダと、一端側が前記レンズホルダの側部に固定された複数本のワイヤと、これらワイヤの他端側を支持する保持部材とを備え、前記レンズホルダの上面の隅部のうち前記ワイヤと平行に延び且つ前記対物レンズの中心を通る仮想平面を挟んだ少なくとも２以上の隅部に、前記ディスクと前記対物レンズの衝突を防止する合成樹脂製のストッパ部を設けた。
【００１０】
このように構成された光学式ピックアップでは、対物レンズから十分に離れたレンズホルダの２以上の隅部に設けた各ストッパ部によって対物レンズとディスクとの衝突が防止され、これらストッパ部は対物レンズに対して僅かに突出させるだけで十分であるため、ピックアップ全体としてのＷ．Ｄを最大限確保した状態でディスクとの接触頻度を少なくすることができる。
【００１１】
上記の構成において、ストッパ部としてディスクの材質よりも硬度の低い潤滑性樹脂を用いることが好ましく、このような潤滑性樹脂はディスクに対して滑り易い材料であるため、外部振動などによってディスクがストッパ部に接触したとしても、ディスクへの損傷を最小限に抑えることができる。
【００１２】
この場合において、ストッパ部をレンズホルダに設ける手段として、レンズホルダとストッパ部とを２色成形により一体化し、レンズホルダにストッパ部の抜け止め用凹部を設けることが可能であり、このようにするとストッパ部をレンズホルダに対して簡単かつ高精度に一体化することができ、ストッパ部がレンズホルダから抜け落ちることも防止できる。また、他の手段として、予め潤滑性樹脂で成形したストッパ部の下部周面を非潤滑性樹脂からなる連結部で覆い、この連結部をレンズホルダに設けた凹部に圧入することも可能であり、このようにするとストッパ部が非潤滑性樹脂からなる連結部を介して凹部に圧入されるため、ストッパ部のレンズホルダからの抜け落ちを確実に防止することができる。
【００１３】
【実施例】
実施例について図面を参照して説明すると、図１は実施例に係る光学式ピックアップの要部を示す平面図、図２は該光学式ピックアップの側面図、図３は図１のＡ−Ａ線に沿う断面図である。
【００１４】
これらの図において、符号１で示す部材はレンズホルダであり、このレンズホルダ１はＰＰＳ（ポリフェニレンサルファイド）等の比較的剛性の高い合成樹脂材を用いて略直方体形状に成形され、その上面中央部には対物レンズ２が取り付けられている。レンズホルダ１にはフォーカスコイル３とトラッキングコイル４が取り付けられており、これらコイル３，４の端末はレンズホルダ１の両側面から突出する端子板５にそれぞれ巻回されている。端子板５はレンズホルダ１の片面について２個、両側面で合計４個設けられており、各端子板５に可撓性金属材からなるワイヤ６の一端が半田付けされている。各ワイヤ６の他端側は合成樹脂製の保持部材７に穿設された貫通孔７ａに挿通され、貫通孔７ａ内に充填されたダンパゲル（図示せず）によって包囲されている。また、各ワイヤ６の他端は保持部材７の背面でＦＰＣ８のランドに半田付けされており、各ワイヤ６はフォーカスコイル３とトラッキングコイル４に流す電流を導く作用を兼ている。
【００１５】
レンズホルダ１の上面４隅にそれぞれストッパ部９が設けられており、各ストッパ部９はディスクＤの材質よりも硬度が低く表面潤滑性の高い合成樹脂、例えばフッソ樹脂を配合したＰＯＭ（ポリアセタール）等で成形されている。各ストッパ部９はディスクＤと対物レンズ２の衝突を防止する緩衝材として作用するもので、各ストッパ部９のレンズホルダ１上面からの最大突出量は対物レンズ２の突出量に対して僅かに大となる値に設定されている。各ストッパ部９は２色成形法を用いてレンズホルダ１と一体成形されており、その際、図３に示すように、レンズホルダ１には上面を開口する凹部１ａが設けられると共に、側面から凹部１ａに連通する透孔１ｂが設けられており、２色成形時に潤滑性樹脂を凹部１ａと透孔１ｂ内に充填することにより、潤滑性の高いストッパ部９が凹部１ａから容易に脱落しないように抜け止めされている。なお、ストッパ部９の上面は略球面状とされており、仮にこのストッパ部９がディスクＤに接触した場合でも、このディスクＤの損傷を抑えることができるようになっている。
【００１６】
前記レンズホルダ１の下方には透磁性金属板からなるヨークベース１０が配置されており、このヨークベース１０は接着等の適宜手段を用いて保持部材７の下面に取り付けられている。ヨークベース１０には一対のヨーク１０ａが上方に向けて折曲形成されており、両ヨーク１０ａの相対向する内壁面にはそれぞれ永久磁石１１が固着されている。両永久磁石１１はレンズホルダ１を介して互いに同極が向き合うようにヨーク１０ａに固着されており、これらヨークベース１０とヨーク１０ａおよび永久磁石１１によって磁気回路部が構成され、また、この磁気回路部と前述したフォーカスコイル３およびトラッキングコイル４とで磁気駆動機構が構成されている。ここで、フォーカスコイル３の巻回方向は対物レンズ２の光軸に対して直交させてあり、各トラッキングコイル４の巻回方向はフォーカスコイル３の巻回方向に対して直交させてある。したがって、フォーカスサーボ時は、フォーカスコイル３に通電してレンズホルダ１を対物レンズ２と共に図２の上下方向へ駆動することにより、光ビームのスポット径をディスクＤのデータトラックにジャストフォーカスさせることができる。また、トラッキングサーボ時は、トラッキングコイル４に通電してレンズホルダ１を対物レンズ２と共に図１の上下方向へ駆動することにより、光ビームのスポット径をディスクＤのデータトラックに追従させることができる。
【００１７】
なお、以上説明したレンズホルダ１や保持部材７および磁気回路部等によってアクチュエータ部が構成され、このアクチュエータ部全体が受発光素子や各種光学部品を搭載したシャーシ（図示省略）上に載置されることにより、光学式ピックアップが構成されている。
【００１８】
このように構成された光学式ピックアップにおいては、レンズホルダ１の上面４隅にストッパ部９が設けられており、各ストッパ部９は対物レンズ２から十分に離れた位置にあるため、各ストッパ部９を対物レンズ２に対して僅かに突出させるだけで、例えばレンズホルダ１が傾いた状態でディスクＤ方向に接近した場合であっても、ディスクＤと対物レンズ２の衝突を確実に防止することができる。したがって、薄型タイプの光学式ピックアップとして例えば対物レンズ２とディスクＤとの間のＷ．Ｄ（Working Distance）を1.0mmに設定した場合でも、ピックアップ全体としてのＷ．Ｄ、すなわちストッパ部９とディスクＤとの間隔を対物レンズ２のＷ．Ｄに比較して遜色のない程度の値（例えば0.9mm）に設定することができ、オフサーボ時の外部振動等によってストッパ部９がディスクＤに接触する頻度そのものを少なくすることができる。また、ストッパ部９がディスクＤの材質よりも硬度の低い潤滑性樹脂で成形されているため、外部振動等によってディスクＤがストッパ部９に接触したとしても、ディスクＤへの損傷を最小限に抑えることができる。さらに、ストッパ部９を２色成形法によりレンズホルダ１と一体成形したため、複数のストッパ部９を簡単かつ高精度にレンズホルダ１に設けることができ、しかも、ストッパ部９を形成する潤滑性樹脂がレンズホルダ１の凹部１ａと透孔１ｂ内に充填されているため、ストッパ部９がレンズホルダ１から脱落することを確実に防止できる。
【００１９】
なお、上記の実施例では、４個のストッパ部９をレンズホルダ１の上面４隅に設けた場合について説明したが、ストッパ部９の数は４個に限定されるものではなく、要は、レンズホルダ１の上面をワイヤ６と平行に延び且つ対物レンズ２の中心を通る仮想平面Ｌ（図１参照）で２つの領域に分けたとき、少なくともこの仮想平面Ｌを挟んで２個のストッパ部９がそれぞれの領域における隅部に設けてあればよい。
【００２０】
また、上記の実施例では、ストッパ部９を２色成形法によりレンズホルダ１と一体成形した場合について説明したが、図４に示すように、予め潤滑性樹脂で成形したストッパ部９の下部周面を非潤滑性樹脂からなる連結部１２で覆い、この連結部１２をレンズホルダ１の凹部１ａに圧入・固定することにより、ストッパ部９をレンズホルダ１に取り付けるようにしてもよい。このとき、ストッパ部９の下部周面を連結部１２の内周面よりも外方へ突出させておくことで、このストッパ部９の連結部１２からの抜けが防止できる。この場合においても、潤滑性樹脂からなるストッパ部９が非潤滑性樹脂からなる連結部１２を介してレンズホルダ１の凹部１ａに圧入・固定されるため、連結部１２の外周面と凹部１ａの内周面との摩擦により、ストッパ部９のレンズホルダ１からの抜け落ちを確実に防止することができる。
【００２１】
【発明の効果】
本発明は、以上説明したような形態で実施され、以下に記載されるような効果を奏する。
【００２２】
略中央部に対物レンズを取り付けたレンズホルダの上面の隅部のうち、レンズホルダを弾性的に支持するワイヤと平行に延び且つ対物レンズの中心を通る仮想平面を挟んだ少なくとも２以上の隅部にストッパ部を設けたため、各ストッパ部を対物レンズの上面よりも僅かに突出させるだけでディスクと対物レンズの衝突を確実に防止することができ、したがって、薄型の光学式ピックアップとしてのＷ．Ｄを最大限確保した状態で、ストッパ部とディスクとの接触頻度を少なくすることができる。
【図面の簡単な説明】
【図１】実施例に係る光学式ピックアップの要部を示す平面図である。
【図２】該光学式ピックアップの側面図である。
【図３】図１のＡ−Ａ線に沿う断面図である。
【図４】ストッパ部の変形例を示す説明図である。
【符号の説明】
１  レンズホルダ
１ａ  凹部
１ｂ  透孔
２  対物レンズ
３  フォーカスコイル
４  トラッキングコイル
６  ワイヤ
７  保持部材
９  ストッパ部
１０  ヨークベース
１０ａ  ヨーク
１１  永久磁石
１２  連結部
Ｄ  ディスク
Ｌ  仮想平面
【図１】
0004399103.tif 000002
【図２】
0004399103.tif 000003
【図３】
0004399103.tif 000004
【図４】
0004399103.tif 000005